Podtech/llm-jp-corpus-v4-ja_patent huggingface dataset:
(57)【要約】【課題】電池を内蔵してそれ自身も携帯が可能なタイプの携帯電話機用充電器において、充電を行ないながらの携帯電話機の使用が充電器を一体とすることなく行なえる、使用に便利な携帯電話機用充電器を提供する。【解決手段】ケーシング３内に、携帯電話機の充電用電池４と、コードリール７と、充電用電池４に一端側が接続されるとともにコードリール７に巻き取り状態に装着される充電用コード５とが備えられ、携帯電話機の充電に際しコード５がケーシング３内から外方に引き出し可能である携帯電話機用充電器。【選択図】  図１
2006223086.tif 000002
【特許請求の範囲】
【請求項１】
ケーシング内に、携帯電話機の充電用電池と、コードリールと、前記充電用電池に一端側が接続されるとともに前記コードリールに巻き取り状態に装着される充電用コードとが備えられ、
前記携帯電話機の充電に際し前記コードが前記ケーシング内から外方に引き出し可能とされてなることを特徴とする携帯電話機用充電器。
【発明の詳細な説明】
【技術分野】
【０００１】  この発明は、携帯電話機用充電器に関する。
【背景技術】
【０００２】  携帯電話機は電池が切れることがないように適宜充電を行なう必要がある。この充電は通常使用しない夜間等の時間帯において行なうが、携帯電話機を常時使う場合や、使用頻度が高い場合は使用と並行しながら充電を行なう必要が有り、その際には電池を内蔵してそれ自身も携帯が可能な充電器が使用される。
【発明の開示】
【０００３】  しかしながら現在のこの種充電器の場合、使用上次の問題がある。すなわち、充電を行ないながら携帯電話機を使用する場合には、充電器が携帯電話機に合体されるので、全体が非常に大きくなって持ちにくく、また、通話中に携帯電話機から充電器が離脱する恐れもあった。
【発明が解決しようとする課題】
【０００４】  この発明では、電池を内蔵してそれ自身も携帯が可能なタイプの携帯電話機用充電器において、充電を行ないながらの携帯電話機の使用が充電器を一体とすることなく行なえる、使用に便利な携帯電話機用充電器を提供する。
【課題を解決するための手段】
【０００５】  この発明の携帯電話機用充電器は、ケーシング内に、携帯電話機の充電用電池と、コードリールと、前記充電用電池に一端側が接続されるとともに前記コードリールに巻き取り状態に装着される充電用コードとが備えられ、前記携帯電話機の充電に際し前記コードが前記ケーシング内から外方に引き出し可能とされてなる構成を備える。
【０００６】  上記構成によれば、携帯電話機を充電するために充電器を接続する際には、接続するコードを引き出すことで充電器を携帯電話機から離した位置とでき、その状態においては携帯電話機は単独に使用でき、例えば、充電器はポケットに入れた状態において携帯電話機のみを持って使用することができる。
【０００７】  なお、この発明の携帯電話機用充電器に使用する充電用電池は、乾電池等の自身が商用電源により充電可能でないもであってもよく、また、リチウム電池等の自身が商用電源により充電可能であるものであってもよい。
【発明の効果】
【０００８】  この発明によれば、充電を行ないながらの携帯電話機の使用が充電器を一体とすることなく行なえる、使用に便利な携帯電話機用充電器が得られる。
【発明を実施するための最良の形態】
【０００９】  図１はこの発明の携帯電話機用充電器の第１の実施形態の外観斜視図、図２は同じく開いた状態の斜視図である。【００１０】  充電器１において３は外装体としての樹脂製のケーシングであり、ケーシング３はケーシング片３ａとケーシング片３ｂとが一体に組み合わされて構成される。ケーシング片３ａの一方側内には２本の充電用電池４が装着され、他方側内には配線基板６の裏側にコードリール７が装着されている。コードリール７にはコード５が巻き取り状態に装着され、コードリール７はその回転軸方向を配線基板６面に垂直とするように設けられている。【００１１】  また、コードリール７はバネ力により常にコード５を巻き取る方向（矢印Ａ）に回転するように付勢されるとともに、その付勢力に抗して引き出されたコード５をその位置に固定するロック機能を備え、１０はそのロックを解除するスイッチボタンである。このコードリール７の巻き取り、ロック、ロック解除の構成は、従来掃除機の巻き取り式コード等に採用される機構と同様の機構が採用されることで実現される。【００１２】  コード５の一端側は配線基板６の表面側に引き出されて充電用電池４側に接続され、他端側には携帯電話機に接続されるコネクタ１２が取り付けられている。ケーシング片３ｂのケーシング３ａと組み合わされた際その充電用電池４に相対する位置には、やはり２本の充電用電池４が装着されている。充電用電池４としは乾電池が使用される。【００１３】  上記構成のケーシング片３ａ、ケーシング片３ｂが組み付けされることで充電器１は一体に構成される。この組み合わされた状態においてケーシング３の１つの角位置にコードの取り出し開口１４が形成され、充電器１の非使用時にはその取り出し開口１４内に丁度コード５の端部に取り付けられたコネクタ１２が納まるようになっている。また、組み付けられた状態において４個の充電用電池４のそれぞれは電気的に直列となるように配置される。【００１４】  充電器１を使用する際には図１に示すようにコネクタ１２を取り出し開口１４内から取り出し、コード５を少し引き出して携帯電話機に接続する。今、そのような充電器１と携帯電話機とを接続している状態において携帯電話機を使用して通話する場合は、さらにコード５を引き出すことで、例えば、充電器１はポケットに入れた状態において携帯電話機のみを持っていつもと同様に通話を行なうことが可能となる。充電完了後はコネクタ１２を携帯電話機から外してスイッチボタン１０を押すことでコード５は自動的に巻き取られ、コネクタ１２は取り出し開口１４内に納まる。【００１５】  図３はこの発明の充電器１の第２の実施形態の外観斜視図、図２は同じく開いた状態の斜視図である。この実施形態の充電器１では充電用電池４として自身が商用電源により充電可能なリチウム電池を２本使用しており、したがって、図５に示すように、回転されてケーシング３表面に突出する自身充電用のプラグ３０を備えることで、このプラク３０が商用電源コンセントに接続されることで充電用電池４の充電が行なわれる。上記構成に関連して配線構成が若干複雑となるが、その他の構成、及び作用は第１の実施形態のものと同様であり、その説明は省略する。
【図面の簡単な説明】
【図１】  この発明の携帯電話機用充電器の第１の実施形態の外観斜視図
【図２】  この発明の携帯電話機用充電器の第１の実施形態の開き状態の斜視図
【図３】  この発明の携帯電話機用充電器の第２の実施形態の外観斜視図
【図４】  この発明の携帯電話機用充電器の第２の実施形態の開き状態の斜視図
【図５】  この発明の携帯電話機用充電器の第２の実施形態の異なる形態の外観斜視図
【符号の説明】
１  充電器
４  充電用電池
５  コード
７  コードリール
【図１】
2006223086.tif 000003
【図２】
2006223086.tif 000004
【図３】
2006223086.tif 000005
【図４】
2006223086.tif 000006
【図５】
2006223086.tif 000007
(57)【要約】【課題】  従来の情報コンセントは、壁構造を加工しなければ設置できなかったため、新築時に設置することが必要であり、既存マンションなど、建築後に壁面の工事が困難な建築物では、設置できなかった。そこで、本発明は、設置が容易な加入者側端末装置の設置方法および情報コンセントを提供することを目的とする。【解決手段】  壁面の既存エアコンダクトを利用し、インターネットアクセスの加入者側端末装置をエアコンダクト内に設置するとともに、エアコンダクトの室内側の蓋に情報コンセントを設ける。これにより、加入者側端末装置を容易に設置可能である。【選択図】        図１
2006223069.tif 000002
【特許請求の範囲】
【請求項１】
加入者側端末装置をエアコンダクト内に設置することを特徴とする加入者側端末装置の設置方法。
【請求項２】
エアコンダクトの室内側の蓋に設けたことを特徴とする情報コンセント。
【発明の詳細な説明】
【技術分野】
【０００１】
この発明は、インターネットアクセスに使用する加入者側端末装置の設置方法および情報コンセントに関するものである。
【背景技術】
【０００２】
従来の情報コンセントは、石膏ボードに設けられ、柱や梁による空間部分に配線を通す構成としている。（例えば特許文献１参照）
【特許文献１】特開２００２−２１３０３５号公報
【発明の開示】
【発明が解決しようとする課題】
【０００３】
従来の情報コンセントは、以上のような構成であったので、壁構造を加工しなければならず、新築時に設置することが必要であり、既存マンションなど、建築後に壁面の工事が困難な建築物では、設置できなかった。
【０００４】
この発明は、上記のような問題点を解消するためになされたもので、設置が容易な加入者側端末装置の設置方法および情報コンセントを提供することを目的とする。
【課題を解決するための手段】
【０００５】
この発明に係る加入者側端末装置の設置方法は、既存エアコンダクトを利用し、加入者側端末装置をエアコンダクト内に設置するものである。
【０００６】
またこの発明に係る情報コンセントは、エアコンダクトの室内側の蓋に設けたものである。
【発明の効果】
【０００７】
この発明によれば、加入者側端末装置をエアコンダクト内に設置するので、省スペース化をはかることができる。
【０００８】
また、情報コンセントを既設エアコンダクトを利用して設置するので、工事が簡便であり、工事期間が短く、設置コストも安くすることができる。
【発明を実施するための最良の形態】
【０００９】
図１において、エアコンダクト１が壁面２に設けられている。インターネットアクセスの加入者側端末装置３は、エアコンダクト１の中に設置されている。加入者側端末装置３は、具体的には、例えば、Fiber To The Homeのメディアコンバータや無線アクセスサービスのインドアユニットなどが挙げられる。エアコンダクト蓋４ａは、エアコンダクト１の室内側の蓋であり、情報コンセント５が設けられている。エアコンダクト蓋４には、加入者側端末装置３に電源供給するための電源口６も設けられている。エアコンダクト蓋４ｂは、エアコンダクト１の室外側の蓋であり、室外側からの信号線７が貫通している。
【００１０】
次に、動作について説明する。
【００１１】
室外の信号線７の信号は、加入者側端末３に入力し、イーサネット（登録商標）の１０ＢＡＳＥ−Ｔや１００ＢＡＳＥ−ＴＸ等の加入者のパソコンやルータが接続可能な信号に変換され、情報コンセント５に供給される。
【００１２】
設置工事は、加入者側端末３をエアコンダクト１の中に置き、信号線７を接続する。情報コンセント５が付けられた蓋４ａおよび蓋４ｂでエアコンダクト１に蓋を行い、電源口６に電源を供給すれば設置工事は完了する。
【００１３】
このように、情報コンセントの設置のため壁構造を加工する必要がないため、工事が簡便であり、工事期間が短く、設置コストを安くすることができる。また、加入者側端末装置をエアコンダクト内に設置するので、省スペース化をはかることができる。また、加入者側端末は、屋外の風雨にさらされないので、高い耐環境性が不要となり、コストを安くすることができる。
【図面の簡単な説明】
【００１４】
【図１】この発明の実施の形態による側面図である。
【図２】この発明の実施の形態１による室内側からの正面図である。
【符号の説明】
【００１５】
１  エアコンダクト
２  壁
３  加入者側端末
４ａ  室内側蓋
４ｂ  室外側蓋
５  情報コンセント
６  電源口
７  屋外側信号線
【図１】
2006223069.tif 000003
【図２】
2006223069.tif 000004
(57)【要約】【課題】    従来のトマト苗つり紐は、トマト苗の茎を誘引する紐に器具を取り付けたものがないことから、紐の上端部と下端部を縛りつける作業を一本ずつ手作業で実施しており、大量生産する農家では多くの労力が必要であり、紐は毎年茎柄と一緒に捨てるので無駄になる。【解決手段】  ポリエチレン製の素材の紐に、最上端部にG字型フックと最下端部に逆さにした、紐の基部の垂直線上に伸縮可能にする嵌合されることを特徴としている。【選択図】  図１
2006223170.tif 000002
【特許請求の範囲】
【請求項１】
J字状の折り返しを有するG字型フックの、前記折り返し部に、基部となるポリエチレン製紐の一端を掛けてW字型クリップで挟持固定し、該ポリエチレン製紐の下方他端を、前記G字型フックと同様のフックを反転させ、その折り返し部に掛けてW字型クリップで挟持固定してなる伸縮可能なトマト苗つり具
【発明の詳細な説明】
【技術分野】
【０００１】
この発明は、トマト苗の倒伏防止のため紐で支える苗つり具に関するものである。  
【背景技術】
【０００２】
従来は、トマト苗の倒伏防止は、竹等を三本立て上部で交差させ縛って、それぞれ三本の支柱にトマトの茎を細縄等で縛ったものや、ビニールハウス内床では、ポリエチレン製の紐でビニールハウス内に張った針金に、ポリエチレン製の紐を縛って吊るし、最下端部にトマトの根元茎部に縛り固定する作業を、一本ずつ手作業で実施しているため労力を多く要し、収穫後の紐は保管に手間が掛かることから茎柄と一緒に引き抜いて捨てるために無駄になっている現状である。
このことから、取り・外しが簡単で、保管が容易である倒伏防止に有効な苗つりが望まれている。
【発明の開示】
【発明が解決しようとする課題】
【０００３】
既存するポリエチレン製の紐本体に、取り・外しが簡単で保管も容易な苗つりが無いことから、多くの労力を要し、紐の使い捨てにより無駄になっている。
そこで、この発明は、簡単に取り・外しができ保管を容易にした有効なトマト苗つり具を提供することを課題とする。
【課題を解決するための手段】
【０００４】
以上の課題を解決するために、発明は、既存のポリエチレン製の紐を基部とし、基部の垂直線上の最上端部にG字型フックに基部をつるし、最下端部には、G字型フックを逆さに吊るしたものを一体に伸縮可能に嵌合して成るトマト苗の倒伏防止のため紐で支える苗つりとして使用するものである。          
【発明の効果】
【０００５】
本発明によるトマト苗つり具は、垂直線上の基部の最上端部に取り付けたG字型フックを針金に引っ掛け、最下端部の逆さにしたG字型フックを苗の根元茎部に掛けて、花房が一段目に着いたら花房直下の茎に１周り巻き、２段目以降は順次は花房直下に巻きつけていく。花房は通常７段目まで着けるので苗丈は１ｍ８０ｃｍ程度になり一箇所に加重が集中しなように７回り程度巻きつけることによって、実房約８Ｋｇ程度の重量が加重されても倒伏すること無く極めて有効である。
また、取り付け・取り外しが簡単に出来ることから労力の手間が省け、収穫後の紐は鉄線に結束して吊るしたまま保管ができることから、容易で長年使用可能になり経費節減である。
【発明を実施するための最良の形態】
【０００６】
発明の実施形態を図１で示す。
トマト苗つり具の基部本体は、ポリエチレン製の紐で、構造は最上端部にG字型フック１・外れ止め球２・吊るし返し３・W字型クリップ４・基部５・最下端部に逆さにしたＧ字型フック６が一体的に設けられている。
このポリエチレン製の紐を基部５として、この基部５の全長を２ｍ３０ｃｍ程度に設定して、基部を最上端部のG字型フック１に基部６を吊るし返し２に掛けて、紐を50ｃｍ程度余分に取り必要により伸縮調整して、基部とW字型クリップ４と結合し、基部の最下端部には逆さにしたG字型フック１を吊るしW字型クリップ４で基部と結合する伸縮可能なにするように嵌合してある。  
育苗トマトの苗丈が３５ｃｍ程度になり７葉が着いたら、ビニールハウス床に定植させ、ビニールハウス内の地面から約１ｍ９５ｃｍのところに張った鉄線にトマトの苗つり具を引っ掛けて、逆Ｇ管７を根元茎に固定し、苗丈が４０ｃｍ程度に伸長したら一段目の花房が着くので、その花房直下の茎に１周り巻いて、２段目以降、順次花房が着くごとに花房直下に巻きつけていく。
ビニールハウス内では、通常７段目の花房まで着けるので苗丈が１ｍ８０ｃｍ程度になり最低７周り以上巻きつける。
実房の重量は約８ｋｇ程度になることからG字型フック１のG字型フック径１は７ｍｍ程度と紐の幅は８ｍｍ×厚さ1ｍｍ程度の紐を使用するのが一般的である。
本実施例はトマト苗を標準に示したが作物の種類によって基部の長さ、付属品の大きさも異なる。また、ポリエチレン製以外に他の合成樹脂等の使用も当然可能である。
【産業上の利用可能性】
【０００７】
本発明は、基部にG字型フック、W字型クリップを嵌合して、キュウリ、ゴーヤ、メロン、カボチャ、豆類、長いもの蔓などの誘引に使用できる。
【図面の簡単な説明】
【０００８】
【図１】発明の実施形態を示す斜視図である。
【符号の説明】
【０００９】
１  G字型フック（大）              
２  外れ止め球              
３  吊るし返し
４  W字型クリップ
５  基部
６  G字型フック（小）
【図１】
2006223170.tif 000003
(57)【要約】【課題】本願発明は、乾燥に強いコケあるいは大きく成長しない植物を利用することにより、簡便で自然景観に優れ、かつ環境を汚染せずに緑化を実現する手段の提供にある。【解決手段】下部から遮水シート、保水シート、コケ、網状体からなり、網状体の表面から内部のコケが発現し、前記遮水シートおよび網状体の端部が袋状に閉じられた緑化マットを形成し、当該緑化マット内にその長さ方向に表面に細孔を有する配管を貫通させ、水を緑化マット内に供給可能とされた緑化マットであり、この緑化マットを敷き設あるいは貼り付ける緑化方法である。【選択図】図1
2006223113.tif 000002
【特許請求の範囲】
【請求項１】
下部から遮水シート、保水シート、コケ、網状体からなり、前記遮水シートおよび網状体の端部が袋状に閉じられた緑化マットを形成し、網状体の表面から緑化マット内部のコケが発現せしめ、当該緑化マット内にその長さ方向に表面に細孔を有する配管を貫通させ、水を緑化マット内に供給可能としたことを特徴とする緑化マット。
【請求項２】
請求項１記載の緑化マットを敷き設することを特徴とする緑化方法。
【発明の詳細な説明】
【技術分野】
【０００１】
本発明は、法面、線路面、路面、広場あるいは屋上などの緑化技術に属する。
【背景技術】
【０００２】
法面、線路面、路面、広場あるいは屋上を緑化する方法が各種提案されている。特許公開H6-173267には、繊維シート上でコケ群落を形成し、岩盤などの基面に貼り付ける。特に本目的に好適なコケとしてシッポゴケ科のフデゴケなどが挙げられている。特許公開2000-365225には、和紙3層が層状に絡み合う各隙間に、細片化したコケと、活性炭又は木炭の粉粒物とを分散させた物が開示されている。特許公開2003-250335には水溶性で表面にコケ植物が付着可能な程度の凹凸を有するシートの間にコケ植物配偶体を挟んだコケ植物担持体を緑化する基面に貼り付ける方法が開示されている。水溶性のシートでコケ植物が基面から剥がれるのを防止し、水溶性のシートが雨水によって消滅するとコケ植物が表面に現れ、外観が緑地として見えるようになるものである。
【特許文献１】特許公開H06-173267
【特許文献２】特許公開2002-165518
【特許文献３】特許公開2003-250335
【発明の開示】
【発明が解決しようとする課題】
【０００３】
本願発明は、乾燥に強いコケあるいは大きく成長しない植物を利用することにより簡便で自然景観に優れ、かつ環境を汚染せずに緑化を実現する手段の提供にある。
【課題を解決するための手段】
【０００４】
本第1の発明は、下部から遮水シート、保水シート、コケ、網状体からなり、前記遮水シートおよび網状体の端部が袋状に閉じられた緑化マットを形成し、緑化マット内に保水シートおよびコケを封じ込め、網状体の表面から内部のコケを発現せしめ、当該マット内にその長さ方向に表面に細孔を有する配管を貫通させ、水を緑化マット内に供給可能とし、コケの育成を図る緑化マットである。
乾燥に強いコケをマット内に封じ込め、必要に応じて緑化すべき場所に移送し、水分を加えることで緑化状態とするものである。
本第２の発明は、上記載の緑化マットを敷き設する緑化方法である。
【発明の効果】
【０００５】
コケなどの植物を封じ込めた緑化マットを、緑化を必要としている法面、線路面、路面、広場あるいは屋上あるいは壁面などに敷き設あるいは貼り付けることで簡単に緑化可能である。コケは乾燥に強く、貯蔵が可能であり、しかも水分の供給により短期間に緑が復元する。
【発明を実施するための最良の形態】
【０００６】
以下本発明である緑化マットにつき、図を用いて、より詳細に説明する。
図１は、緑化マットの一例をその断面図でしめしたものである。図２は緑化マットを平面的に敷き設した状態を示す概念図である。図３は線路面に敷き設した状態を示す概念図である。
図１に示したように緑化マットは４層に区分され、最下層は遮水シートで水分を緑化マット内に留めおけるようになっている。遮水シートの上に保水シートが設けられ水分を保持し、その上部にコケが生育可能となっている。最上部は網状体でコケが緑化マットからこぼれ落ちないようにすると共に、保水シート上に発現したコケが網状体の網目から伸びだし、緑化マットの表面が緑となる。
緑化マット内には内部の保水性シートに水分が供給できるようその表面に細孔を有する配管が貫通している。緑化マットは内部の保水シート、コケがこぼれ出ないように端部が袋状に閉じられている。
【０００７】
図２に示すように緑化マットを左右に敷き設し、その長手方向は配管を接続可能となるよう継ぎ手を設けておくことが好ましい。継ぎ手は両端に逆方向に螺旋をきった継ぎ手あるいはカプラーなど既存の継ぎ手が利用できる。
【０００８】
緑化マットは、屋上など平面あるいは斜面、法面あるいは壁面に敷き設あるいは貼り付けることができる。壁面に貼り付ける場合は、例えば、壁面に緑化マットの幅に相当する間隔で板材を固定し、マットの両端を別の板材で挟みながら固定していくことができ、既存の方法が利用できる。
【０００９】
緑化マットを構成する遮水シートはゴムシートあるいは塩ビシートなどが利用可能である。保水シートは例えばポリエステル製の不織布などが利用できる。網状体は金網あるいは合成繊維性の網でよい。
配管はその表面に適宜細孔を設けたポリエチレンパイプあるいは繊維を編んだパイプが使用できる。
【００１０】
使用する植生は乾燥に強い植物が好ましく使用される。特にコケは乾燥に強く、貯蔵が可能であり、雨水を受けることで速やかに緑化するため好ましく使用される。
【図面の簡単な説明】
【００１１】
【図１】は、本発明の緑化マットの断面を示す概念図である。
【図２】は、本発明の緑化マットを平面的に敷き設した状態を示す概念図である。
【図３】は、本発明の緑化マットを線路面に敷き設した状態を示す概念図である。
【符号の説明】
【００１２】
１  緑化マット
２  遮水シート
３  保水シート
４  コケ
５  網状体
６  パイプ
【図１】
2006223113.tif 000003
【図２】
2006223113.tif 000004
【図３】
2006223113.tif 000005
(57)【要約】【課題】  散歩中、犬の排泄し終えた糞を、拾って処理する手間を解決する。【解決手段】  ビニ−ル袋を装着するリング２０と、このリング２０を固定するバンド部１、コの字部２、コの字部３、コの字部４と、差込み口６を備えた固定具１０により、この課題を解決する。【選択図】  図１
2006223275.tif 000002
【特許請求の範囲】
【請求項１】
ビニ−ル袋を装着させたリングを固定し、犬の糞を直接ビニ−ル袋に受け止めることを特徴とする糞処理具。
【発明の詳細な説明】
【技術分野】
【０００１】本発明は、犬の糞処理に使用するための道具に関する。
【背景技術】
【０００２】従来から、散歩中の犬の糞処理では、排泄し終えた糞を、ビニ−ル袋等で拾って処理している。
【発明の開示】
【発明が解決しようとする課題】
【０００３】  しかし、これでは、糞を拾う手間がかかり、糞をそのまましておく飼い主もいる。本発明は、糞を拾う手間を解決することを課題とする。
【課題を解決するための手段】
【０００４】  この課題を解決するための請求項１の発明は、ビニ−ル袋を装着させたリングを固定させ、犬の糞を直接ビニ−ル袋の中に受け止めることを特徴とする、糞処理具である。この糞処理具により、糞を直接ビニ−ル袋に入れ、処理することができる。
【発明の効果】
【０００５】  本発明により、犬の糞を処理するときに、糞を拾う手間がなくなる。そして、糞がビニ−ル袋に入った後は、固定具からリングを外せば、ビニ−ル袋も簡単に外せるようになっている。
【発明を実施するための最良の形態】
【０００６】  本発明に係る糞処理具は、図１に示すように、ビニ−ル袋を装着させるためのリング２０を備えている。リング２０は、固定具１０の円周上である、コの字部２、コの字部３、コの字部４の三ヶ所に挟まれている。コの字部２、コの字部３、コの字部４は、コの字型になっており、リング２０を挟んでいる。さらに、このリング２０には、突起部５があり、差込み口６の中に挿入し固定する。差込み口６は、筒になっている。【０００７】  リング２０の上部分の外輪には、固定具１０からなるバンド部１が当接している。このバンド部１は、固定具１０の円周上にある、コの字部３とコの字部４の外輪の上端部分からバンド状になっており、リング２０の上部分の外輪を固定している。【０００８】  突起部５には、紐７が通っており、差込み口６の中を通って外に出ている。紐７は、固定具１０の持ち手部分の長さと、固定具１０の円周の半径を足して２倍した長さが必要である。さらに、紐７には、リング２０が固定具１０から外れ落ちないために、留め具８が付いている。【０００９】  リング２０の大きさは、固定具１０の円周の大きさに応じて決めればよい。また、固定具１０の持ち手は、握りやすいように波状になっている。【００１０】この固定具１０の材料は、硬質性ゴムで形成することが望ましい。また、リング２０の材料は、プラスチックで形成することが望ましい。
【図面の簡単な説明】
【００１１】
【図１】  糞処理具を上部から見た平面図である。
【図２】  糞処理具の斜視図である。
【図３】  ビニ−ル袋を装着させるリングを上部から見た平面図である。
【図４】  ビニ−ル袋を装着させるリングの斜視図である。
【符号の説明】
【００１２】  １    バンド部
２    コの字部
３    コの字部
４    コの字部
５    突起部
６    差込み口
７    紐
８    留め具
１０    固定具
２０    リング
【図１】
2006223275.tif 000003
【図２】
2006223275.tif 000004
【図３】
2006223275.tif 000005
【図４】
2006223275.tif 000006
(57)【要約】【課題】成人病の予防等に有効な機能性食品を提供すること。【解決手段】しじみエキスをそば粉、小麦粉等とともに混合し練り込んで、常法により製麺することを特徴とするそば麺。【特許請求の範囲】
【請求項１】
しじみのエキス成分を含有することを特徴とするそば。
【請求項２】
しじみエキスをそば粉、小麦粉とともに混合し練り込んで、常法により製麺することを特徴とする請求項１記載のそば。
【発明の詳細な説明】
【技術分野】
【０００１】  本発明は、しじみ成分を含有したそばに関するものである。
【背景技術】
【０００２】  しじみは、必須アミノ酸を多く含む蛋白質やカルシウム、鉄、ビタミン類等を豊富に含有しており、また、肝機能を守り、貧血、高血圧等に有効であるとされている。味噌汁その他いろいろに調理されて食用に供されているが、そばに利用された例はない。これまで魚貝類を加えた麺類（特許文献１）や、カキの栄養素を含有させた麺類（特許文献２）は知られているがしじみ成分を含有したそばは知られていない。
【特許文献１】特開昭６２−２５９５５６号公報
【特許文献２】特許平０７−２７４８７５号公報
【発明の開示】
【発明が解決しようとする課題】
【０００３】  近年多方面で、健康に関することが取り上げられ、多くの人が自らの体調に関心を寄せるようになった。特に食品については、日常摂取するものだけに関心度も高く、食事を通した健康が望まれている。本発明の目的は、現在、増加しつつある成人病、例えば脂肪肝や肝炎などの肝臓病の予防によく、また、貧血、高血圧等に有効な機能性食品を提供することである。
【課題を解決するための手段】
【０００４】  本発明者は、上記目的を達成すべく種々研究した結果、しじみの成分とそばの組み合わせが栄養素的に極めて優れた効果を持ったものであることを発見し本発明を完成した。すなわち本発明は、しじみ成分を含有した薬膳しじみそばである。そばにしじみ成分を含有させるため、しじみエキスをそば粉、小麦粉等とともに混合し練り込んで、常法により、そばを製する。しじみエキスはしじみの煮汁の成分であり、煮汁を濃縮し、ドラム乾燥等により粉末化されうるが、一般的には、でんぷん等の賦形剤を加えて粉末状にしたものがしじみエキス粉末として市販されている。本発明においては、エキスを粉末状にしたものを用いるのが便利である。
【発明の効果】
【０００５】  そばにはミネラル、ビタミンを始め、食物繊維、タンパク質、でんぷん、ルチン、コリンなど体に必要な栄養素が含まれており、動脈硬化や脳卒中、高血圧などに効果的であるとともに肝臓を保護し機能を強化する働きがある。本発明はこれにしじみの栄養成分が加えられたもので、両者は相性がよく、成分が互いに補い合い、増強し合って相乗的に優れた効果を発揮している。また、しじみのすり身やしじみの乾燥粉末でなく、エキス粉末等を用いるため、製麺が容易となった。さらに、しじみのうまみ成分はそばとよく合うため、味の相性も良く、栄養面だけでなく風味面からも優れたものである。
【発明を実施するための最良の形態】
【０００６】  本発明は前記のようにしじみ成分を含有した薬膳しじみそばである。本発明に係るそばの原料は、そば粉に小麦粉を加えたものが主であるが、そば粉は、他のつなぎを含めた粉全量に対し３０％以上、好ましくは５０％以上を用いる。しじみエキスは粉全体に対し、０．１〜５％、通常は０．５〜１％前後が用いられる。賦形剤が加えられたしじみエキス粉末においては、適当に増量すればよい。この場合、しじみの煮汁などのしじみエキス分を水に変えて、あるいは水とともに用いて、エキス分を強化してもよい。しじみは大和しじみが栄養バランスもよく特に好ましい。大和いも少量をミキサーにかけ、そばに加えることが好ましいが、これは、つなぎの一つであるとともに成分であるビタミンＣにより、ルチンの効果をより高めることになる。製麺方法は通常のそばと同じように手打ちその他各種の方法が用いられるが、簡便さから、製麺機を用いたものが好ましい。ここで得られる生麺を乾燥すれば乾麺を得ることができる。乾燥は、風味を失わないように低温で自然乾燥させ、手作りの良さを出すこともできる。【０００７】  以下実施例により、本発明を説明するが、本発明が、これに限定されるものでないことは言うまでもない。
【実施例】
【０００８】  そば粉２、４００ｇ及び小麦粉１、６００ｇにしじみエキス３０ｇ相当分のエキス粉末を加え、よく混合する。水適量を用い、製麺機にて常法により製麺し本発明に係る生麺を得た。
【産業上の利用可能性】
【０００９】  本発明により、しじみ風味をそのまま保持して味がよく、栄養素が豊富な健康食品としても優れた麺類を得ることができるようになった。
(57)【要約】【課題】  牛などの家畜を食用に出荷する時、蓄体に付着した糞などを除去する事が義務付けられているが、取り除くのに多くの労力と時間を要する。【解決手段】  蓄体を傷つけないためのガイドと切断用の刃を取り付けた器具を用いることにより、労力と時間を大幅に軽減することができる。【選択図】  図１
2006223281.tif 000002
【特許請求の範囲】
【請求項１】
肉用牛など家畜に付着した糞などを除去するために、除去用の刃を取り付けた器具。
【発明の詳細な説明】
【技術分野】
【０００１】  本発明は、牛など家畜に付着した糞の除去用の器具に関する。
【背景技術】
【０００２】  肉用牛など家畜を食用目的に出荷する時、蓄体に付着した糞等を除去するように義務づけられているが、金櫛等を用いて除去している。
【発明の開示】
【発明が解決しようとする課題】
【０００３】  家畜に付着した糞などは乾燥して硬くなり、しかも体毛が乾燥した糞の中に入り込んでいる為、金ぐし等を用いた除去では多くの労力と時間が必要である。【０００４】  本発明は、このような労力と時間を、軽減することを目的とするものである。
【問題を解決するための手段】
【０００５】  そして、本発明は上記目的を達成する為に、蓄体を傷つけないで体毛と乾燥した糞を切断することができる刃を設けたものである。
【０００６】  切断用の刃は容易に交換することができる構造にしてある。
【発明の効果】
【０００７】  この器具を用いることにより、乾燥した糞の除去を容易なものにし、労力と時間を大幅に軽減することができる。
【発明を実施するための最良の形態】
【０００８】  以下、本発明の実施に形態を図１〜図２に基づいて説明する。【０００９】  図においては、１は人が握るハンドルである。【００１０】  ２は切断用の刃であり、３は蓄体を傷つけない為のガイドであり５本程取り付けるものである。【００１１】  ４は切断刃を固定する為のボルトであり、本体に固定されている、この固定用のボルトは３本取り付けてある。【００１２】  ２の切断刃と５の固定用のプレ−トには４のボルトが通るように穴が空けてある。【００１３】  ２の切断刃と５の固定用プレ−トを取り付けた後に４のボルトにナットをつけ切断刃を固定する。【００１４】  器具本体の幅は１０ｃｍ、長さは２５ｃｍ程である。【００１５】  器具本体を蓄体につけ、蓄体に沿うように引くことにより蓄体に着いた乾燥した糞を容易に取り除くことができる。
【図面の簡単な説明】
【０００８】
【図１】  側面から見た図
【図２】  上から見た図
【図１】
2006223281.tif 000003
【図２】
2006223281.tif 000004
(57)【要約】      （修正有）【課題】糞をはさみ上げ、袋に入れることができるペット糞取り具を提供する。【解決手段】Ｌ字型のスティック４の２本が交差する部分を蝶つがいで止めた用具を用いる。スティック４に袋をかぶせ八の字状に開き、スティック４を閉じて犬などのペットの糞をはさみ上げ、袋を裏返すことによって糞を袋に入れる。ペットの糞を手でつかむことなく、またスティックを糞で汚すことなく袋に入れることができる。【選択図】図１
2006223289.tif 000002
【特許請求の範囲】
【請求項１】
Ｌ字型のスティックの２本が交差する部分を蝶つがいで止めたペットの糞取り用具。Ｌ字型のスティックに袋をかぶせ八の字状に開き、スティックを閉じて糞をはさみ上げ、袋を裏返すことによって糞を袋に入れる。ペットの糞を手でつかむことなく、またスティックを糞で汚すことなく袋に入れることができる。
スティックの先端はＬ字型で袋の脱着を防ぎ、スティック先端の接触部にはゴムなどを取り付け、袋を裏返す時のすべり止めとする。袋を裏返しやすいようにＬ字型スティックの２本の間にはすき間を設ける。オープン用グリップの接触面にはマグネットを取り付け、スティックを開いた状態で容易に維持できるようにする。
【発明の詳細な説明】
【技術分野】
【０００１】本発明はＬ字型のスティックの２本が交差する部分を蝶つがいで止めた用具と袋を用いて、犬などのペットの糞をはさみ上げて取るものである。
【背景技術】
【０００２】犬などのペットの糞取り用具としてはスコップ（紙製、プラスチック製）がある。
【発明の開示】
【発明が解決しようとする課題】
【０００３】ペットの糞を取る方法として、Ａ．袋の中に手を入れて糞をつかむ、Ｂ．スコップで拾い上げる、Ｃ．紙あるいは厚紙ではさんでつかむ、などがある。Ａの方法では糞の感触が不快であり、Ｂの方法ではスコップが汚れる、Ｃの方法ではつかみにくい、といった欠点がある。
【課題を解決するための手段】
【０００４】Ｌ字型のスティックの２本が交差する部分を蝶つがいで止めた用具を用いる。スティックに袋をかぶせ八の字状に開き、スティックを閉じて犬などのペットの糞をはさみ上げ、袋を裏返すことによって糞を袋に入れる。ペットの糞を手でつかむことなく、またスティックを糞で汚すことなく袋に入れることができる。
スティックの先端はＬ字型で袋の脱着を防ぎ、スティック先端の接触部にはゴムなどを取り付け、袋を裏返す時のすべり止めとする。袋を裏返しやすいようにＬ字型スティックの２本の間にはすき間を設ける。握りの部分にはスティックの開閉のためオープン用グリップとクロス用グリップを設ける。オープン用グリップの接触面にはマグネットを取り付け、スティックを開いた状態で容易に維持できるようにする。
使い方は２通りあり、地面などに落ちた糞をスティックではさみ上げる方法と糞の落下位置に用具を置いて糞を受け止める方法がある。
【発明の効果】
【０００５】ペットの糞を袋に入れる時、最も手軽な方法は手でつかむことであるが、糞の感触が不快である。本発明を用いれば糞を手でつかむことなくはさみ上げ、袋に入れることができる。
【発明を実施するための最良の形態】
【０００６】図２、図３、図４、図５に本発明の実施例を示す。
発明を実施するための手順
▲１▼Ｌ字型のスティックに袋をかぶせ、オープン用グリップを握り八の字状に開き、ペットの糞の上に置く。（図２）
▲２▼クロス用グリップを握ってスティックを閉じ、糞をはさみ上げる。（図３）
▲３▼糞をはさみ上げた状態で袋を裏返す。（図４）
▲４▼手やスティックに直接触れずに糞が袋の中におさまる。（図５）
【図面の簡単な説明】
【０００７】
【図１】  本発明の斜視図である。
【図２】  本発明の実施例を示す斜視図▲１▼である。
【図３】  本発明の実施例を示す斜視図▲２▼である。
【図４】  本発明の実施例を示す斜視図▲３▼である。
【図５】  本発明の実施例を示す斜視図▲４▼である。
【符号の説明】
【０００８】  １．オープン用グリップ
２．蝶つがい
３．クロス用グリップ
４．Ｌ字型スティック
５．マグネット
６．すべり止め
７．ストッパー
８．糞
９．袋
１０．スティックのすき間
【図１】
2006223289.tif 000003
【図２】
2006223289.tif 000004
【図３】
2006223289.tif 000005
【図４】
2006223289.tif 000006
【図５】
2006223289.tif 000007
(57)【要約】      （修正有）【課題】必須アミノ酸を多量に含有する乳清発酵ヨーグルト製造のための微生物培養方法の提供。【解決手段】乳酸菌を含む少なくとも８種類以上の種菌を含有するスターターが接種された原料に対して、各菌種の培養に対応する多段階発酵法において、各アミノ酸の産生量が最も多量となるための温度と時間の条件を設定した。すなわち連続的に設定した培養時間の経過に従い、段階的に低温側に移行する培養方法とする。【選択図】なし【特許請求の範囲】
【請求項１】
乳酸菌を含む少なくとも８種類以上の種菌を含有するスターターが接種された原料に対して、連続的に設定した培養時間の経過に従い段階的に低温側に移行する。このように培養温度・培養時間の制御の工程を改良した多段階発酵法。具体的には、初発培養温度２５℃で８時間発酵させる。その後漸次２１℃・１６時間、１８℃・５時間、１５℃・５時間、１４℃・５時間、１０℃・５時間の熟成工程を経て最後に５℃で３２時間保持する事により製造する。
以上、温度と時間に検討を加えての形質転換微生物の発酵によって、より高品質が得られることを特徴とする乳清発酵ヨーグルト製造における微生物改良培養方法。
【請求項２】
請求項１記載原料を用いて、断続的に設定した培養時間の経過に従い最初は無段階に、以降は段階的に低温側に移行する。このように培養温度・培養時間の制御の工程を改良した多段階発酵法。具体的には、培養温度を４３〜４５℃で開始し、その後発酵に、培養時間８時間を割り当て、その中で培養温度を１９℃まで無段階に温度を低下させる。次に１８℃、２時間追発酵を行なった後、４℃で１６時間保持して熟成させる事により製造する。
以上、温度と時間に検討を加えての形質転換微生物の発酵によって、より高品質が得られることを特徴とする乳清発酵ヨーグルト製造における微生物改良培養方法。
【発明の詳細な説明】
【技術分野】
【０００１】  本発明は、乳清発酵ヨーグルト製造の発酵工程に利用する微生物の培養方法に関し、乳酸菌を含む多種類の菌の適切な共生培養を実現し、食品に利用可能な風味を保ちつつ、人のからだの２割はたんぱく質で構成される、２０種類のアミノ酸（人間のからだの細胞、ホルモン、酸素などを形成する他、からだにとって様々な機能を担っている）のうち９種類は体内に合成されず、バランスよく適量を食事から補う必要があるのが必須アミノ酸である。このアミノ酸がバランスよく多量に含有する乳清発酵ヨーグルトが得られる微生物の培養方法を創出したものである。
【背景技術】
【０００２】  従来、乳酸菌を含む少なくとも８種類以上の種菌を含有するスターターが接種された原料に対して、培養温度と培養時間に綿密繊細かつ段階の温度制御を行う方法で、発酵及び熟成させると多種類の菌の共生培養と食用に値する風味の確保とを両立させながら、人体の健康維持に有益な多種類の微生物による多種多様な産生物質を多量に含有する良質な製品ができることは特開平０６−２６７６５９１号公報に開示されて公知である。
【発明の開示】
【発明が解決しようとする課題】
【０００３】  本発明は、上述したスターターが接種された原料を用いて、従来の多段階発酵法をそのまま利用して、人体の健康維持に有益な微生物あるいは、その微生物による産生物質の種類や生理活性物質の含有量が多いヨーグルト及びその加工食品に、ブロバイオティクスとしての腸内乳酸菌、特にアミノ酸の生残性を維持するヨーグルト及び加工食品の微生物培養方法を提供することを課題とするものである。
【課題を解決するための手段】
【０００４】  本発明は、従来の培養時間と培養温度での培養条件では、良好な旨味の有る食品が得らられるも、バランスよく適量を食事から補う必要があるといわれている必須アミノ酸の含量が多量に含有するヨーグルト製品を可能にする２通りの培養方法を示した。乳酸菌を含む少なくとも８種類以上の種菌を含有するスターターが接種された原料に対して、第１の培養方法は、連続的に設定された培養時間の中で、まず培養温度が２５℃で１６時間の発酵、以降は培養温度  １８℃、１５℃、１４℃、１０℃の順に温度を低下させながら、それぞれ５時間の熟成を行い、最後に５℃で３２時間保持して熟成を行なう。第２の培養方法は、断続的に設定された培養時間の中で、まず、培養温度を当初の４３℃〜４５℃から開始した後、８時間の培養時間を割り当て、更に１９℃までその温度を低下させ、発酵を行なう。次に１８℃、２時間追発酵を行なった後、４℃で１６時間保持して熟成させる。この第１と第２の何れもの多段階発酵法は、従来のヨーグルト製造の発酵・熟成の工程を利用して、さらに熟成に時間をかけて行なったことによって、誘導活性が高い微生物による産生物質の種類や含有量が多いヨーグルト及びその加工食品は、従来技術により得られたヨーグルトより、本発明の実施において、よりアミノ酸の生残性を維持する生理活性物質及び乳酸菌加工食品が得られたのである。
【作用】
【０００５】  本発明において、殺菌、均質化などの前処理を終えた原料に接種するスターターは、例えば、ストレプトコッカス、ロイコノストック、ラクトバシラスに属するもの、酵母菌のカンディダ、トルロシップス、サッカロマイセスに属するもの、腸内細菌のビフィドバクテリュウムやエンテロコッカスに属するものから乳酸菌を含めて選定された少なくとも８種類以上の種菌を含有する。多種類の菌が個別に有する活動温度特性を考慮すると、選定された菌の組み合わせによって比較的低温域で培養を開始するのが適切な場合と比較的高温域で培養を開始するのが適切な場合とが考えられ、さらに、各菌の物質産生が十分に行われるようにしつつ、製品として利用可能なレベルの良好な風味も確保するように培養しなければならない。本発明ではこれらの条件をすべて満足させるべく研究を重ねた結果、本発明の従来技術の多段階発酵法の工程に従い、更なる培養時間のみ加えたことによる開示する条件で培養を行なうと、活動温度の異なる多種類の菌が、高温側で活動する菌から低温側で活動する菌に至るまで都合よく培養され、更なる培養時間のみの検討を加え、比較検討したことによっての熟成方法が、より必須アミノ酸の含量が多量に含有する、誘導活性が高い微生物産生物質の種類と、良好な風味を有し且つ含有量の多いヨーグルトが得られることが判明した。
(57)【要約】【課題】従来のラバージグは根掛かりしやすいという問題があった。これは、主に障害物の多い場所で使用する事や、針先がむき出しになった形状によるものである。【解決手段】頂点から中心を貫く貫通口３を有する球体２の、頂点から９０°を隔てた球周に沿って溝が設けられていて、多数の放射状に形成したラバースカート５がこの溝を起点として固定されていることを特徴とする疑似餌１【選択図】図１
2006223284.tif 000002
【特許請求の範囲】
【請求項１】
頂点から中心を貫く貫通口３を有する球体２の、頂点から９０°を隔てた球周に沿って溝４が設けられていて、多数の放射状に形成したラバースカート５がこの溝４を起点として固定されていることを特徴とする疑似餌１。
【発明の詳細な説明】
【技術分野】
【０００１】  本発明は、弾性繊維を利用した釣具のラバージグに関する。
【背景技術】
【０００２】  従来ジグヘッドにラバースカートを装着したラバージグという疑似餌であり、主にブッシュや立ち木やゴミ溜まり等、魚が身を隠しやすい場所で使用し、水中で開閉するラバースカートで魚の闘争本能を刺激して、攻撃してくるところを捕らえる疑似餌である。また、様々なトレーラーを装着することで、小魚を模して泳がせたり、ザリガニを模して底を這わせたり跳ねさせたりと、他に類をみない多様性を持った疑似餌である。
【発明の開示】
【発明が解決しようとする課題】
【０００３】  以上に述べた従来のラバージグでは、その形状と使用する場所から根掛かりしやすいという問題がある。そのためにフックが障害物に接触しないようにブラシガードを取り付けたものもあるが、逆にフッキングの妨げになりやすく、相当強いフッキングが必要になる。また、ジグヘッドはフックの形状からトレーラーの装着がしづらく、ちぎれてしまったり、ズレやすい。更には、主に障害物の多い場所で使用することで、ラインの結び目が根ズレにより劣化しやすく、ラインブレイクの原因にもなる。【０００４】  本発明は、このような従来の構成が有していた問題を解決しようとするものであり、根掛かりしにくく、フッキングも容易にできて、ラインの結び目の根ズレを防ぐことができるラバージグを実現することを目的とするものである。
【課題を解決するための手段】
【０００５】  そして本発明は上記目的を達成するために、頂点から中心を貫く貫通口３を有する球体２の、頂点から９０°を隔てた球周に沿って溝４が設けられていて、多数の放射状に形成したラバースカート５がこの溝４を起点として固定されていることを特徴とする疑似餌１である。【０００６】  上記の固定のしかたとしては、例えばラバースカート５を溝４の部分に糸でくくりつける方法があげられる。【０００７】  上記課題の解決手段による作用は、次の通りである。図３・図４において本発明をテキサスリグのシンカー８とフック９の間のライン６に通して使用する事で、テキサスリグとラバージグの性能を併せ持った仕掛けとして使用できる。すなわち、ブラシガードが無くてもシンカー８の形状から、水中の障害物をすり抜けやすく、図４に示したフック９の通称であるオフセットフックを使用すれば、ラバージグのトレーラーをオフセットフックで装着できる事に相当し、また球体２の貫通口３にライン６の結び目１１を挿入する事で、根ズレによる結び目１１の劣化を防ぐ役割も果たせる疑似餌１を提供できる。【０００８】  更なる相乗効果として、球体２とシンカー８とが水中で接触することで発生する音による集魚効果も期待でき、しかも、本来一つに組み上げられているラバージグを図３・図４の本発明の使用例において、言わば「シンカー」と「ラバースカート」と「フック」の三つの部品に分けた事に相当する為、シンカー８のサイズやフック９のサイズ、ラバースカート５の長さ等、釣り場の状況に合わせて、釣り人の思い通りに設定できるという利点がある。
【発明の効果】
【０００９】  上述したように、本発明の疑似餌１は、ブラシガードが無くても根掛かりを高確率で回避し、トレーラーをオフセットフックで装着でき、根ズレによるライン６の結び目１１の劣化を防げるラバージグとして使用できる疑似餌１を提供できる。【００１０】  また、前記球体２とシンカー８との接触で音が発生する為、更に集魚効果を発揮するラバージグとして使用できる疑似餌１である。
【発明の実施するための最良の形態】
【実施例】
【００１１】  以下、本発明の実施形態の一例を図１・図２に基づいて説明する。【００１２】  図２において、直径８ミリのプラスチック製の球体２の頂点から中心を貫く直径１．２ミリの貫通口３をあけ、頂点から９０°を隔てた球周に沿って幅２．５ミリ、深さ１．５ミリの溝４を掘る。【００１３】  縦１０センチ、横２．３センチ、厚さ０．３ミリで、縦に０．５ミリ間隔で４５本の浅い切れ込みが入ったゴムシートを２枚重ねて丸め、長さ１０センチの中空円筒状に組み上げ、円筒の中央部を糸で軽く縛る。【００１４】  球体２を前記糸と溝４が平行になる向きで前記円筒の中央部までに挿入し、前記糸を内部の球体２の溝４の部分で硬く縛り直して固定する。【００１５】  前記円筒の両端から前記浅い切れ込みに沿って糸で縛った部分まで一本ずつ裂いていき、これがラバースカート５となる。全て裂き終えて放射状に形成したラバースカート５を下に垂らした状態が図１である。本発明は以上の構成よりなる疑似餌１である。【００１６】  以下、上記構成の使用方法及び効果を、図３・図４を用いて説明する。まずうき止めゴム７、シンカー８、本発明の疑似餌１の順でライン６を通し、最後にフック９を結ぶ。その後フック９のラインの結び目１１を球体２の貫通口３に挿入し、シンカー８を疑似餌１のすぐ上まで下ろしてきて、そこから移動しないように最初に通したうき止めゴム７をシンカー８の先端部まで下ろす。トレーラーとなるワーム１０をフック９に装着して、完成となる。図３の通りテキサスリグに使用するシンカー８の形状は先端が鋭角な円錐状になっており、この形状が水中の障害物をすり抜けるのに適している。以上の事から根掛かりを高確率で防ぐ事ができる。【００１７】  また、図４においてフック９を指す前述のオフセットフックを使用する事で、針先をワーム１０に埋め込む事ができ、針先が障害物に接触するのを避ける事ができる。またワーム１０はゴム製なので、魚が食いついた時には容易に針先が出て、フッキングしやすい。【００１８】  更に、球体２とシンカー８が接触する事で音が発生し、集魚効果を発揮する。以上のように、本実施形態によれば、従来のラバージグよりも根掛かりが少なく、フッキングが容易で、根ズレによる結び目１１の劣化も防ぎ、音による集魚効果が得られるのである。
【図面の簡単な説明】
【００１９】
【図１】本発明の実施形態を示す疑似餌の外観図
【図２】図１の部分拡大図
【図３】本発明を実際に使用している状態を示す使用例の外観図
【図４】図３の断面図
【符号の説明】
【００２０】１疑似餌
２球体
３貫通口
４溝
５ラバースカート
６ライン
７うき止めゴム
８シンカー
９フック
１０ワーム
１１結び目
【図１】
2006223284.tif 000003
【図２】
2006223284.tif 000004
【図３】
2006223284.tif 000005
【図４】
2006223284.tif 000006
(57)【要約】      （修正有）【課題】  カラスよけネットの内側に置かれたゴミが外側から見えないようにして、視覚で餌を探すカラスによってネットを持ち上げ、ゴミを持ち出し散乱される課題を解決し、ゴミ集積所の環境保持を目的としたカラスよけネットの提供。【解決手段】  カラスの視覚をさえぎるため、ゴミの上にかけるネット１の裾部分約３０センチを目隠し２状に覆うとともに、ネットの浮き上がりと防風対策として、裾に重り４を入れる。【選択図】図１
2006223290.tif 000002
【特許請求の範囲】
【請求項１】
カラスよけネットの形状に関する。
【発明の詳細な説明】
【技術分野】
【０００１】  この発明は、カラス・犬・猫等により、ゴミ集積所の生ゴミ散乱を防止することを目的としたカラスよけネットである。
【背景技術】
【０００２】  従来のカラスよけネット図２は、網状ネットの裾の周囲に重りをつけたものであった。
【特許文献１】  特開  ２００１−２４７２０３
【特許文献２】  特開  ２００３−３１２８０６
【発明が解決しようとする課題】
【０００３】  従来のカラスよけネットは、視覚に頼り餌を探すカラスの習性から、ネットをかぶせても中のゴミが見える状態であるため、ネットを持ち上げ餌をあさってしまい、防護効果が薄かった。
【課題を解決するための手段】
【０００４】  前記の課題を解決するために発明では、カラスよけネットの裾部約３０センチの周囲をシートなどで覆い視覚をさいぎる。
【発明の効果】
【０００５】  発明では、カラスよけネットの裾部分を見えないように覆うことにより、カラスの視覚を遮断し、生ゴミなどのあらされるのを防ぎ、ゴミ集積所の環境を保持することができる。
【発明を実施するための最良の形態】
【０００６】  この発明の実施形態を、図１に示す。
カラスよけネット図１のネットは、カラスの嘴が入らない程度の網目を使用し、網の裾部周囲約３０センチをシートなどで覆い、さらに裾部には、防風対策として重りを入れネットの飛ばされるのを防ぐ。
【実施例】
【０００７】  現在、販売されているカラスネットは、網目状のネットの裾部分におもりを入れたもので、本件のように裾部分を目隠し状に覆ったものは無い。
【図面の簡単な説明】
【０００８】
【図１】  この発明の実施形態を示す斜面図である。
【符号の説明】
１  ネット部位              ２  目隠しシート部位
３  暴風対策ハトメ部位      ４  重り部位
【図１】
2006223290.tif 000003